(57)【要約】【課題】  複雑な制御を行ったり、基準ディスクを用いるなどの煩わしさもなく、どのディスクタイプの光ディスクであるかを、短時間でかつ確実に判定することができる光ディスク判定装置を提供すること。【解決手段】  光ディスクに光照射して反射した反射光量ＦＳＭＡＸと、ディスクタイプ毎に設定された反射光量の許容幅から所要間隔をおいて設定された閾値ＤＪＧとを比較して、ディスクタイプを判定するにあたり、グレーゾーンである所要間隔内に位置する反射光量を検出した際、判定エラーとせずに、許容幅補正手段により、その反射光量に基づいて該所要間隔側の許容幅を補正し、さらに、その許容幅補正手段で補正された新たな許容幅と、閾値ＤＪＧを挟んで対峙する異なるディスクタイプの許容幅とに基づいて、閾値補正手段が、閾値ＤＪＧを補正する。【選択図】        図１
2007004923.tif 000002
【特許請求の範囲】
【請求項１】
光ディスクに光照射して反射した反射光量と、ディスクタイプ毎に設定された反射光量の許容幅から所要間隔をおいて設定された閾値とを比較して、ディスクタイプを判定する光ディスク判定装置であって、
前記所要間隔内に位置する反射光量を検出した際に、該反射光量に基づいて該所要間隔側の前記許容幅を補正する許容幅補正手段と、
前記許容幅補正手段で補正された新たな許容幅と、前記閾値を挟んで対峙する異なるディスクタイプの許容幅とに基づいて、前記閾値を補正する閾値補正手段と
を有したことを特徴とする光ディスク判定装置。
【請求項２】
前記ディスクタイプは、高反射率タイプと低反射率タイプの何れかであり、
前記許容幅補正手段は、前記高反射率タイプの許容幅下限値と補正前の前記閾値との間に位置する反射光量を検出した際に、該反射光量を該許容幅の新たな許容幅下限値として補正すると共に、
前記閾値補正手段は、前記新たな許容幅下限値と、低反射率タイプの許容幅上限値との中間値を新たな閾値として補正すること
を特徴とする請求項１記載の光ディスク判定装置。
【請求項３】
前記ディスクタイプは、高反射率タイプと低反射率タイプの何れかであり、
前記許容幅補正手段は、前記低反射率タイプの許容幅上限値と補正前の前記閾値との間に位置する反射光量を検出した際に、該反射光量を該許容幅の新たな許容幅上限値として補正すると共に、
前記閾値補正手段は、前記新たな許容幅上限値と、高反射率タイプの許容幅下限値との中間値を新たな閾値として補正すること
を特徴とする請求項１または２記載の光ディスク判定装置。
【請求項４】
前記ディスクタイプは、高反射率タイプと低反射率タイプの何れかであり、
前記許容幅補正手段は、前記高反射率タイプの許容幅下限値と補正前の前記閾値との間に位置する反射光量を検出した際に、該反射光量を該許容幅の新たな許容幅下限値として補正すると共に、その補正値分、前記高反射率タイプの許容幅上限値と、前記低反射率タイプの許容幅自体とを下方へ補正し、
前記閾値補正手段は、前記高反射率タイプの許容幅の新たな許容幅下限値と、下方へ補正した低反射率タイプの許容幅上限値との中間値を新たな閾値として補正すること
を特徴とする請求項１記載の光ディスク判定装置。
【請求項５】
前記ディスクタイプは、高反射率タイプと低反射率タイプの何れかであり、
前記許容幅補正手段は、前記低反射率タイプの許容幅上限値と補正前の前記閾値との間に位置する反射光量を検出した際に、該反射光量を該許容幅の新たな許容幅上限値として補正すると共に、その補正値分、前記低反射率タイプの許容幅下限値と、前記高反射率タイプの許容幅自体とを上方へ補正し、
前記閾値補正手段は、前記低反射率タイプの許容幅の新たな許容幅上限値と、上方へ補正した高反射率タイプの許容幅下限値との中間値を新たな閾値として補正すること
を特徴とする請求項１または４記載の光ディスク判定装置。
【請求項６】
光ディスクに光照射して反射した反射光量と、ディスクタイプ毎に設定された反射光量の許容幅から所要間隔をおいて設定された閾値とを比較して、ディスクタイプを判定する光ディスク判定方法であって、
前記所要間隔内に位置する反射光量を検出した際に、該反射光量に基づいて該所要間隔側の前記許容幅を補正する許容幅補正工程と、
前記許容幅補正工程で補正された新たな許容幅と、前記閾値を挟んで対峙する異なるディスクタイプの許容幅とに基づいて、前記閾値を補正する閾値補正工程と
を有したことを特徴とする光ディスク判定方法。
【請求項７】
前記ディスクタイプは、高反射率タイプと低反射率タイプの何れかであり、
前記許容幅補正工程は、前記高反射率タイプの許容幅下限値と補正前の前記閾値との間に位置する反射光量を検出した際に、該反射光量を該許容幅の新たな許容幅下限値として補正すると共に、
前記閾値補正工程は、前記新たな許容幅下限値と、低反射率タイプの許容幅上限値との中間値を新たな閾値として補正すること
を特徴とする請求項６記載の光ディスク判定方法。
【請求項８】
前記ディスクタイプは、高反射率タイプと低反射率タイプの何れかであり、
前記許容幅補正工程は、前記低反射率タイプの許容幅上限値と補正前の前記閾値との間に位置する反射光量を検出した際に、該反射光量を該許容幅の新たな許容幅上限値として補正すると共に、
前記閾値補正工程は、前記新たな許容幅上限値と、高反射率タイプの許容幅下限値との中間値を新たな閾値として補正すること
を特徴とする請求項６または７記載の光ディスク判定方法。
【請求項９】
前記ディスクタイプは、高反射率タイプと低反射率タイプの何れかであり、
前記許容幅補正工程は、前記高反射率タイプの許容幅下限値と補正前の前記閾値との間に位置する反射光量を検出した際に、該反射光量を該許容幅の新たな許容幅下限値として補正すると共に、その補正値分、前記高反射率タイプの許容幅上限値と、前記低反射率タイプの許容幅自体とを下方へ補正し、
前記閾値補正工程は、前記高反射率タイプの許容幅の新たな許容幅下限値と、下方へ補正した低反射率タイプの許容幅上限値との中間値を新たな閾値として補正すること
を特徴とする請求項６記載の光ディスク判定方法。
【請求項１０】
前記ディスクタイプは、高反射率タイプと低反射率タイプの何れかであり、
前記許容幅補正工程は、前記低反射率タイプの許容幅上限値と補正前の前記閾値との間に位置する反射光量を検出した際に、該反射光量を該許容幅の新たな許容幅上限値として補正すると共に、その補正値分、前記低反射率タイプの許容幅下限値と、前記高反射率タイプの許容幅自体とを上方へ補正し、
前記閾値補正工程は、前記低反射率タイプの許容幅の新たな許容幅上限値と、上方へ補正した高反射率タイプの許容幅下限値との中間値を新たな閾値として補正すること
を特徴とする請求項６または９記載の光ディスク判定方法。
【発明の詳細な説明】
【技術分野】
【０００１】
本発明は、光ディスクに光照射して反射した反射光量と閾値とを比較して、ディスクタイプを判定する光ディスク判定装置と、光ディスク判定方法に関する。
【背景技術】
【０００２】
光ディスク装置は、まず、光ディスクのディスクタイプを判別し、その判別結果に基づいてデータのアクセスを行っているが、この光ディスクのディスクタイプを判別するのに、従来、様々な光ディスク装置が提案されている。
【０００３】
例えば、光ディスクの種類を判別するための反射光量の閾値を、ＣＤ−ＲＯＭやＣＤ−Ｒといった高反射率の光ディスクからの反射光量の測定値と、ＣＤ−ＲＷといった低反射率の光ディスクからの反射光量の測定値とに基づいて算出し、その閾値に更新していくことにより、光ディスク装置に装填された光ディスクが、どの種類の光ディスクであるかを短時間でかつ確実に判別する、とした光ディスク装置（光ディスク判別方法）がある（例えば特許文献１参照）。
【０００４】
また、他の例として、光ディスクの情報記録面で反射される光度を測定する光度検出回路と、光度の閾値を記憶する記憶手段と、ディスク判定処理において光度検出回路から測定された光度と記憶手段に記憶される閾値と比較することにより情報記録面の反射率が異なる光ディスクの判別を行う制御回路とを備えた光ディスク判別装置であって、記憶手段は係数を記憶し、制御手段は閾値登録処理において光度検出回路が検出した光度に記憶手段に記憶される係数を乗じた値を前記閾値として記憶手段に記憶させることにより、装置によるばらつきが少ない精度が高いディスク判定を行うことができる、とした光ディスク判別装置がある（例えば特許文献２参照）。
【０００５】
さらに、この上記した光ディスク判定装置の判定以外の判定について説明すると、従来の光ディスク判定装置は、夫々のディスクタイプ毎に設定された許容幅内に検出した反射光値が収まることを前提にしてディスクタイプを判定するように構成されている。
【０００６】
すなわち、再生装置側のピックアップ精度や、メディア側の製品誤差などによって、同一タイプの光ディスクでも僅かに反射光量の違いが生じており、再生装置側に、ある程度予想される誤差分を許容幅として設定しておき、その許容幅内に収まった反射光値に応じてディスクタイプを判定している。
【０００７】
仮に、例えば、高反射率タイプの光ディスクにおける許容幅下限値と閾値との間（グレーゾーン）の反射光値や、低反射率タイプの光ディスクにおける許容幅上限値と閾値との間（グレーゾーン）の反射光値を検出した場合、通常は、ディスクタイプの判定エラーとして処理されている。
【０００８】
【特許文献１】特開２００１−３０７４１６号公報（第３頁、図１）
【特許文献２】特開２００３−１４１７２２号公報（第３頁、図１）
【発明の開示】
【発明が解決しようとする課題】
【０００９】
この上記した先行の光ディスク装置や光ディスク判別装置は、閾値を適宜更新することによりディスクタイプの判別精度を高めるものとして好適なものと思料するが、しかしながら、フォーカスやトラッキングを制御させたり、基準ディスクの反射光度を用いたりするなど、複雑な制御を行ったり、基準ディスクを用いるなどの煩わしさがあった。
【００１０】
また、高反射率タイプの光ディスクにおける許容幅下限値と閾値との間（グレーゾーン）の反射光値や、低反射率タイプの光ディスクにおける許容幅上限値と閾値との間（グレーゾーン）の反射光値を検出したら、即座にディスクタイプの判定エラーとしてしまうと、データのアクセス自体は何ら問題のないメディアに対しても、データのアクセスができなくなってしまい甚だ不都合でもあった。
【００１１】
そこで本発明は、このような状況に鑑みてなされたものであり、上記問題点を解決できる光ディスク判定装置及び光ディスク判定方法を提供することを目的とする。
【課題を解決するための手段】
【００１２】
上記技術課題を達成するために、本発明にかかる光ディスク判定装置及び光ディスク判定方法は、下記の技術的手段を講じた。
すなわち、請求項１にかかる光ディスク判定装置は、光ディスクに光照射して反射した反射光量と、ディスクタイプ毎に設定された反射光量の許容幅から所要間隔をおいて設定された閾値とを比較して、ディスクタイプを判定する光ディスク判定装置であって、前記所要間隔内に位置する反射光量を検出した際に、該反射光量に基づいて該所要間隔側の前記許容幅を補正する許容幅補正手段と、前記許容幅補正手段で補正された新たな許容幅と、前記閾値を挟んで対峙する異なるディスクタイプの許容幅とに基づいて、前記閾値を補正する閾値補正手段とを有したことを特徴とする。
請求項２にかかる光ディスク判定装置は、請求項１において、前記ディスクタイプは、高反射率タイプと低反射率タイプの何れかであり、前記許容幅補正手段は、前記高反射率タイプの許容幅下限値と補正前の前記閾値との間に位置する反射光量を検出した際に、該反射光量を該許容幅の新たな許容幅下限値として補正すると共に、前記閾値補正手段は、前記新たな許容幅下限値と、低反射率タイプの許容幅上限値との中間値を新たな閾値として補正することを特徴とする。
請求項３にかかる光ディスク判定装置は、請求項１または２において、前記ディスクタイプは、高反射率タイプと低反射率タイプの何れかであり、前記許容幅補正手段は、前記低反射率タイプの許容幅上限値と補正前の前記閾値との間に位置する反射光量を検出した際に、該反射光量を該許容幅の新たな許容幅上限値として補正すると共に、前記閾値補正手段は、前記新たな許容幅上限値と、高反射率タイプの許容幅下限値との中間値を新たな閾値として補正することを特徴とする。
請求項４にかかる光ディスク判定装置は、請求項１において、前記ディスクタイプは、高反射率タイプと低反射率タイプの何れかであり、前記許容幅補正手段は、前記高反射率タイプの許容幅下限値と補正前の前記閾値との間に位置する反射光量を検出した際に、該反射光量を該許容幅の新たな許容幅下限値として補正すると共に、その補正値分、前記高反射率タイプの許容幅上限値と、前記低反射率タイプの許容幅自体とを下方へ補正し、前記閾値補正手段は、前記高反射率タイプの許容幅の新たな許容幅下限値と、下方へ補正した低反射率タイプの許容幅上限値との中間値を新たな閾値として補正することを特徴とする。
請求項５にかかる光ディスク判定装置は、請求項１または４において、前記ディスクタイプは、高反射率タイプと低反射率タイプの何れかであり、前記許容幅補正手段は、前記低反射率タイプの許容幅上限値と補正前の前記閾値との間に位置する反射光量を検出した際に、該反射光量を該許容幅の新たな許容幅上限値として補正すると共に、その補正値分、前記低反射率タイプの許容幅下限値と、前記高反射率タイプの許容幅自体とを上方へ補正し、前記閾値補正手段は、前記低反射率タイプの許容幅の新たな許容幅上限値と、上方へ補正した高反射率タイプの許容幅下限値との中間値を新たな閾値として補正すること
を特徴とする。
請求項６にかかる光ディスク判定方法は、光ディスクに光照射して反射した反射光量と、ディスクタイプ毎に設定された反射光量の許容幅から所要間隔をおいて設定された閾値とを比較して、ディスクタイプを判定する光ディスク判定方法であって、前記所要間隔内に位置する反射光量を検出した際に、該反射光量に基づいて該所要間隔側の前記許容幅を補正する許容幅補正工程と、前記許容幅補正工程で補正された新たな許容幅と、前記閾値を挟んで対峙する異なるディスクタイプの許容幅とに基づいて、前記閾値を補正する閾値補正工程とを有したことを特徴とする。
請求項７にかかる光ディスク判定方法は、請求項６において、前記ディスクタイプは、高反射率タイプと低反射率タイプの何れかであり、前記許容幅補正工程は、前記高反射率タイプの許容幅下限値と補正前の前記閾値との間に位置する反射光量を検出した際に、該反射光量を該許容幅の新たな許容幅下限値として補正すると共に、前記閾値補正工程は、前記新たな許容幅下限値と、低反射率タイプの許容幅上限値との中間値を新たな閾値として補正することを特徴とする。
請求項８にかかる光ディスク判定方法は、請求項６または７において、前記ディスクタイプは、高反射率タイプと低反射率タイプの何れかであり、前記許容幅補正工程は、前記低反射率タイプの許容幅上限値と補正前の前記閾値との間に位置する反射光量を検出した際に、該反射光量を該許容幅の新たな許容幅上限値として補正すると共に、前記閾値補正工程は、前記新たな許容幅上限値と、高反射率タイプの許容幅下限値との中間値を新たな閾値として補正することを特徴とする。
請求項９にかかる光ディスク判定方法は、請求項６において、前記ディスクタイプは、高反射率タイプと低反射率タイプの何れかであり、前記許容幅補正工程は、前記高反射率タイプの許容幅下限値と補正前の前記閾値との間に位置する反射光量を検出した際に、該反射光量を該許容幅の新たな許容幅下限値として補正すると共に、その補正値分、前記高反射率タイプの許容幅上限値と、前記低反射率タイプの許容幅自体とを下方へ補正し、前記閾値補正工程は、前記高反射率タイプの許容幅の新たな許容幅下限値と、下方へ補正した低反射率タイプの許容幅上限値との中間値を新たな閾値として補正することを特徴とする。
請求項１０にかかる光ディスク判定方法は、請求項６または９において、前記ディスクタイプは、高反射率タイプと低反射率タイプの何れかであり、前記許容幅補正工程は、前記低反射率タイプの許容幅上限値と補正前の前記閾値との間に位置する反射光量を検出した際に、該反射光量を該許容幅の新たな許容幅上限値として補正すると共に、その補正値分、前記低反射率タイプの許容幅下限値と、前記高反射率タイプの許容幅自体とを上方へ補正し、前記閾値補正工程は、前記低反射率タイプの許容幅の新たな許容幅上限値と、上方へ補正した高反射率タイプの許容幅下限値との中間値を新たな閾値として補正することを特徴とする。
【発明の効果】
【００１３】
本発明によれば、光ディスクに光照射して反射した反射光量と、ディスクタイプ毎に設定された反射光量の許容幅から所要間隔をおいて設定された閾値とを比較して、ディスクタイプを判定するにあたり、グレーゾーンである所要間隔内に位置する反射光量を検出した際、判定エラーとせずに、許容幅補正手段により、その反射光量に基づいて該所要間隔側の許容幅を補正し、さらに、その許容幅補正手段で補正された新たな許容幅と、閾値を挟んで対峙する異なるディスクタイプの許容幅とに基づいて、閾値補正手段が、閾値を補正するようにしたから、複雑な制御を行ったり、基準ディスクを用いるなどの煩わしさもなく、どのディスクタイプの光ディスクであるかを、短時間でかつ確実に判定することができる。
【発明を実施するための最良の形態】
【００１４】
次に、本発明にかかる光ディスク判定装置の実施の形態を説明する。
（実施の形態１）
実施の形態１にかかる光ディスク判定装置は、再生専用のＣＤ−ＲＯＭ（高反射率タイプ）や追記型のＣＤ−Ｒ（低反射率タイプ）等の光ディスクに光照射して反射した反射光量ＦＳＭＡＸと、ディスクタイプ毎に設定された反射光量の許容幅から所要間隔（グレーゾーン）をおいて設定された閾値ＤＪＧとを比較して、ディスクタイプを判定するもので、判定されたディスクタイプに基づいてデータのアクセスをする光ディスク再生装置（記録再生含む）に組み込まれている。
【００１５】
この上記した許容幅とは、再生装置側のピックアップ精度や、メディア側の製品誤差などによって、同一タイプの光ディスクでも僅かに反射光量の違いが生じており、再生装置側に、ある程度予想される誤差分を初期値（初期状態）として設定されている。
【００１６】
また閾値ＤＪＧは、初期値（初期状態）として、ディスクタイプ毎に設定された反射光量の許容幅から所要間隔をおいて設定されており、すなわち、図１に示すように、高反射率タイプの光ディスクにおける許容幅下限値ＨＭＩＮと、低反射率タイプの光ディスクにおける許容幅上限値ＬＭＡＸとの中間値を、閾値ＤＪＧの初期値（初期状態）として設定されている。
【００１７】
この実施の形態１にかかる光ディスク判定装置は、許容幅補正手段と、閾値補正手段とを備えて構成されている。
【００１８】
許容幅補正手段は、ディスクタイプ毎に設定された反射光量の許容幅から所要間隔内（グレーゾーン）に位置する反射光量ＦＳＭＡＸを検出した際に、該反射光量ＦＳＭＡＸに基づいて該所要間隔側の許容幅を補正するようになっている。
【００１９】
すなわち、高反射率タイプの許容幅下限値ＨＭＩＮと現在設定されている閾値ＤＪＧとの間に位置する反射光量ＦＳＭＡＸを検出した場合は、該反射光量ＦＳＭＡＸを該許容幅の新たな許容幅下限値ＨＭＩＮとして補正し（図２参照）、低反射率タイプの許容幅上限値ＬＭＡＸと現在設定されている閾値ＤＪＧとの間に位置する反射光量ＦＳＭＡＸを検出した場合は、該反射光量ＦＳＭＡＸを該許容幅の新たな許容幅上限値ＬＭＡＸとして補正するようになっている。
【００２０】
この許容幅補正手段によって補正された許容幅は、逐次メモリーに記録されて更新され、光ディスク再生装置に光ディスクが挿入される度に、または、光ディスクが挿入された状態で光ディスク再生装置のスイッチがＯＮになる度に、記録されたメモリー内の許容幅情報を読み出すようになっている。
【００２１】
閾値補正手段は、許容幅補正手段で補正された新たな許容幅と、閾値ＤＪＧを挟んで対峙する異なるディスクタイプの許容幅とに基づいて、閾値ＤＪＧを補正するようになっている。
【００２２】
すなわち、高反射率タイプの許容幅下限値ＨＭＩＮと現在設定されている閾値ＤＪＧとの間に位置する反射光量ＦＳＭＡＸを検出した場合は、許容幅補正手段によって補正された新たな許容幅下限値ＨＭＩＮと、低反射率タイプの許容幅上限値ＬＭＡＸとの中間値を算出し、その中間値を新たな閾値ＤＪＧとして補正するようになっている（図１参照）。
【００２３】
同様に、低反射率タイプの許容幅上限値ＬＭＡＸと現在設定されている閾値ＤＪＧとの間に位置する反射光量ＦＳＭＡＸを検出した場合は、許容幅補正手段によって補正された新たな許容幅上限値ＬＭＡＸと、高反射率タイプの許容幅下限値ＨＭＩＮとの中間値を算出し、その中間値を新たな閾値ＤＪＧとして補正するようになっている。
【００２４】
この閾値補正手段によって補正された閾値ＤＪＧは、逐次メモリーに記録されて更新され、光ディスク再生装置に光ディスクが挿入される度に、または、光ディスクが挿入された状態で光ディスク再生装置のスイッチがＯＮになる度に、記録されたメモリー内の閾値情報を読み出すようになっている。
【００２５】
次に、以上のように構成された実施の形態１にかかる光ディスク判定装置の一連の処理手順を図２のフローチャートを用いて説明する。
【００２６】
検出された反射光量ＦＳＭＡＸが、ディスクタイプ毎に設定された反射光量の許容幅内に収まっているときは、その収まっている許容幅のディスクタイプと判定して、判定処理は終了するが、何れのディスクタイプの許容幅に、検出された反射光量ＦＳＭＡＸが収まらないとき以下の一連の判定処理が行われる。
【００２７】
まず、許容幅補正手段は、検出された反射光量ＦＳＭＡＸが、現在設定されている閾値と、現在設定されている高反射率タイプの許容幅下限値ＨＭＩＮとの間に位置しているか否かの判定を行う（Ｓ１１）。
【００２８】
検出された反射光量ＦＳＭＡＸが、現在設定されている高反射率タイプの許容幅下限値ＨＭＩＮとの間に位置している場合（Ｓ１１：ＹＥＳ）、その反射光量ＦＳＭＡＸを該許容幅の新たな許容幅下限値ＨＭＩＮとして補正・更新し、その内容をメモリーに記録する（Ｓ１２）。
【００２９】
そして、許容幅補正手段によって補正された新たな許容幅下限値ＨＭＩＮと、低反射率タイプの許容幅上限値ＬＭＡＸとの中間値を算出し、その中間値を新たな閾値ＤＪＧとして補正・更新し、その内容をメモリーに記録する（Ｓ１３）。
【００３０】
Ｓ１１において、検出された反射光量ＦＳＭＡＸが、現在設定されている高反射率タイプの許容幅下限値ＨＭＩＮとの間に位置していない場合、低反射率タイプの許容幅上限値ＬＭＡＸと現在設定されている閾値ＤＪＧとの間に位置しているか否かの判定を行う（Ｓ１４）。
【００３１】
検出された反射光量ＦＳＭＡＸが、低反射率タイプの許容幅上限値ＬＭＡＸと現在設定されている閾値ＤＪＧとの間に位置している場合（Ｓ１４：ＹＥＳ）、該反射光量ＦＳＭＡＸを該許容幅の新たな許容幅上限値ＬＭＡＸとして補正・更新し、その内容をメモリーに記録する（Ｓ１５）。
【００３２】
仮に、検出された反射光量ＦＳＭＡＸが、低反射率タイプの許容幅上限値ＬＭＡＸと現在設定されている閾値ＤＪＧとの間に位置していない場合（Ｓ１４：ＮＯ）、判定エラーとして、光ディスク再生装置の表示部などに「メディアに異常があります」などの報知を行う。
【００３３】
そして、許容幅補正手段によって補正された新たな許容幅上限値ＬＭＡＸと、高反射率タイプの許容幅下限値ＨＭＩＮとの中間値を算出し、その中間値を新たな閾値ＤＪＧとして補正・更新し、その内容をメモリーに記録して一連の処理が終了する（Ｓ１３）。
【００３４】
この一連の処理は、光ディスク再生装置に光ディスクが挿入される度に、または、光ディスクが挿入された状態で光ディスク再生装置のスイッチがＯＮになる度に行う。
【００３５】
（実施の形態２）
実施の形態２にかかる光ディスク判定装置は、実施の形態１と同様に、再生専用のＣＤ−ＲＯＭ（高反射率タイプ）や追記型のＣＤ−Ｒ（低反射率タイプ）等の光ディスクに光照射して反射した反射光量ＦＳＭＡＸと、ディスクタイプ毎に設定された反射光量の許容幅から所要間隔（グレーゾーン）をおいて設定された閾値ＤＪＧとを比較して、ディスクタイプを判定するもので、判定されたディスクタイプに基づいてデータのアクセスをする光ディスク再生装置（記録再生含む）に組み込まれている。
【００３６】
この上記した許容幅とは、実施の形態１と同様に、再生装置側のピックアップ精度や、メディア側の製品誤差などによって、同一タイプの光ディスクでも僅かに反射光量の違いが生じており、再生装置側に、ある程度予想される誤差分を初期値（初期状態）として設定されている。
【００３７】
また閾値ＤＪＧは、実施の形態１と同様に、初期値（初期状態）として、ディスクタイプ毎に設定された反射光量の許容幅から所要間隔をおいて設定されており、すなわち、図１に示すように、高反射率タイプの光ディスクにおける許容幅下限値ＨＭＩＮと、低反射率タイプの光ディスクにおける許容幅上限値ＬＭＡＸとの中間値を、閾値ＤＪＧの初期値（初期状態）として設定されている。
【００３８】
この実施の形態２にかかる光ディスク判定装置は、許容幅補正手段と、閾値補正手段とを備えて構成されている。
【００３９】
許容幅補正手段は、実施の形態１と同様に、ディスクタイプ毎に設定された反射光量ＦＳＭＡＸの許容幅から所要間隔内（グレーゾーン）に位置する反射光量ＦＳＭＡＸを検出した際に、該反射光量ＦＳＭＡＸに基づいて該所要間隔側の許容幅を補正するようになっているが、実施の形態２にかかる許容幅補正手段は、さらに、その補正値分、全体を移動するようになっている。
【００４０】
すなわち、高反射率タイプの許容幅下限値ＨＭＩＮと現在設定されている閾値ＤＪＧとの間に位置する反射光量ＦＳＭＡＸを検出した場合は、該反射光量ＦＳＭＡＸを該許容幅の新たな許容幅下限値ＨＭＩＮとして補正すると共に、その補正値分、高反射率タイプの許容幅上限値ＨＭＡＸと、低反射率タイプの許容幅自体ＬＭＡＸ−ＬＭＩＮ（全体）とを下方へ補正するようになっている（図３参照）。
【００４１】
また、低反射率タイプの許容幅上限値ＬＭＡＸと現在設定されている閾値ＤＪＧとの間に位置する反射光量ＦＳＭＡＸを検出した場合は、該反射光量ＦＳＭＡＸを該許容幅の新たな許容幅上限値ＬＭＡＸとして補正すると共に、その補正値分、低反射率タイプの許容幅下限値ＬＭＩＮと、前記高反射率タイプの許容幅自体ＨＭＡＸ−ＨＭＩＮ（全体）とを上方へ補正補正するようになっている。
【００４２】
この許容幅補正手段によって補正された夫々の許容幅は、逐次メモリーに記録されて更新され、光ディスク再生装置に光ディスクが挿入される度に、または、光ディスクが挿入された状態で光ディスク再生装置のスイッチがＯＮになる度に、記録されたメモリー内の許容幅情報を読み出すようになっている。
【００４３】
閾値補正手段は、許容幅補正手段で補正された夫々の新たな許容幅に基づいて、閾値ＤＪＧを補正するようになっている。
【００４４】
すなわち、高反射率タイプの許容幅下限値ＨＭＩＮと現在設定されている閾値ＤＪＧとの間に位置する反射光量ＦＳＭＡＸを検出した場合は、高反射率タイプの許容幅の新たな許容幅下限値ＨＭＩＮと、下方へ補正した低反射率タイプの許容幅上限値ＬＭＡＸとの中間値を新たな閾値ＤＪＧとして補正するようになっている（図３参照）。
【００４５】
同様に、低反射率タイプの許容幅上限値ＬＭＡＸと現在設定されている閾値ＤＪＧとの間に位置する反射光量ＦＳＭＡＸを検出した場合は、低反射率タイプの許容幅の新たな許容幅上限値ＬＭＡＸと、上方へ補正した高反射率タイプの許容幅下限値ＨＭＩＮとの中間値を新たな閾値ＤＪＧとして補正するようになっている。
【００４６】
この閾値補正手段によって補正された閾値ＤＪＧは、逐次メモリーに記録されて更新され、光ディスク再生装置に光ディスクが挿入される度に、または、光ディスクが挿入された状態で光ディスク再生装置のスイッチがＯＮになる度に、記録されたメモリー内の閾値情報を読み出すようになっている。
【００４７】
次に、以上のように構成された実施の形態２にかかる光ディスク判定装置の一連の処理手順を図４のフローチャートを用いて説明する。
【００４８】
検出された反射光量ＦＳＭＡＸが、ディスクタイプ毎に設定された反射光量の許容幅内に収まっているときは、実施の形態１と同様に、その収まっている許容幅のディスクタイプと判定して、判定処理は終了するが、何れのディスクタイプの許容幅に、検出された反射光量ＦＳＭＡＸが収まらないとき以下の一連の判定処理が行われる。
【００４９】
まず、許容幅補正手段は、検出された反射光量ＦＳＭＡＸが、現在設定されている閾値ＤＪＧと、現在設定されている高反射率タイプの許容幅下限値ＨＭＩＮとの間に位置しているか否かの判定を行う（Ｓ２１）。
【００５０】
検出された反射光量ＦＳＭＡＸが、現在設定されている高反射率タイプの許容幅下限値ＨＭＩＮとの間に位置している場合（Ｓ２１：ＹＥＳ）、その反射光量ＦＳＭＡＸを該許容幅の新たな許容幅下限値ＨＭＩＮとして補正・更新すると共に、その補正値分、高反射率タイプの許容幅上限値ＨＭＡＸと、低反射率タイプの許容幅自体ＬＭＡＸ−ＬＭＩＮ（全体）とを下方へ補正・更新し、その内容をメモリーに記録する（Ｓ２２）。
なお、図４のＳ２２に示した算出式は、ＨＭＡＸを例にすると、以下のように表されている（ＨＭＩＮ、ＬＭＡＸ、ＬＭＩＮも同様である）。
（補正後の）ＨＭＡＸ←（補正前の）ＨＭＡＸ−（（補正前の）ＨＭＩＮ−（検出された反射光量）ＦＳＭＡＸ）
【００５１】
そして、許容幅補正手段によって補正された新たな許容幅下限値ＨＭＩＮと、下方へ補正した低反射率タイプの許容幅上限値ＬＭＡＸとの中間値を算出し、その中間値を新たな閾値ＤＪＧとして補正・更新し、その内容をメモリーに記録する（Ｓ２３）。
【００５２】
Ｓ２１において、検出された反射光量ＦＳＭＡＸが、現在設定されている高反射率タイプの許容幅下限値ＨＭＩＮとの間に位置していない場合（Ｓ２１：ＮＯ）、低反射率タイプの許容幅上限値ＬＭＡＸと現在設定されている閾値ＤＪＧとの間に位置しているか否かの判定を行う（Ｓ２４）。
【００５３】
検出された反射光量ＦＳＭＡＸが、低反射率タイプの許容幅上限値ＬＭＡＸと現在設定されている閾値ＤＪＧとの間に位置している場合（Ｓ２４：ＹＥＳ）は、該反射光量ＦＳＭＡＸを該許容幅の新たな許容幅上限値ＬＭＡＸとして補正・更新し、その内容をメモリーに記録すると共に、その補正値分、低反射率タイプの許容幅下限値ＬＭＩＮと、前記高反射率タイプの許容幅自体ＨＭＡＸ−ＨＭＩＮ（全体）とを上方へ補正・更新し、その内容をメモリーに記録する（Ｓ２５）
なお、図４のＳ２５に示した算出式は、ＨＭＡＸを例にすると、上記と同様に、以下のように表されている（ＨＭＩＮ、ＬＭＡＸ、ＬＭＩＮも同様である）。
（補正後の）ＨＭＡＸ←（補正前の）ＨＭＡＸ+（（補正前の）ＨＭＩＮ−（検出された反射光量）ＦＳＭＡＸ）
【００５４】
仮に、検出された反射光量ＦＳＭＡＸが、低反射率タイプの許容幅上限値ＬＭＡＸと現在設定されている閾値ＤＪＧとの間に位置していない場合（Ｓ２４：ＮＯ）、判定エラーとして、光ディスク再生装置の表示部などに「メディアに異常があります」などの報知を行う。
【００５５】
そして、許容幅補正手段によって補正された新たな許容幅上限値ＬＭＡＸと、上方へ補正した高反射率タイプの許容幅下限値ＨＭＩＮとの中間値を新たな閾値ＤＪＧとして補正・更新し、その内容をメモリーに記録して一連の処理が終了する（Ｓ２３）。
【００５６】
この一連の処理は、光ディスク再生装置に光ディスクが挿入される度に、または、光ディスクが挿入された状態で光ディスク再生装置のスイッチがＯＮになる度に行う。
【００５７】
このように本実施の形態にかかる光ディスク判定装置は、従来グレーゾーンとして判定エラー処理していた反射光量ＦＳＭＡＸにおいても、正常な反射光量ＦＳＭＡＸとして認識し、許容幅を書き換えることにより、データのアクセス自体は何ら問題のないメディアに対して、どのディスクタイプの光ディスクであるかを、短時間でかつ確実に判定することができる。仮に、データのアクセス自体に問題が生じた場合（メディア損傷等によって）、次行程であるデータのアクセス制御側にて、光ディスク再生装置の表示部などに「メディアに異常があります」などの報知を行えば良い。
【００５８】
以上、本実施の形態にかかる光ディスク判定装置を説明したが、上述した実施の形態は、本発明の好適な実施の形態の一例を示すものであり、本発明はそれに限定されるものではなく、その要旨を逸脱しない範囲内において、種々変形実施が可能である。
【００５９】
例えば、上記した一連の手順による光ディスク判定方法であっても良い。
【図面の簡単な説明】
【００６０】
【図１】実施の形態１にかかる光ディスク判定装置におけるディスクタイプ判定動作を示す模式図である。
【図２】実施の形態１にかかる光ディスク判定装置におけるディスクタイプ判定手順を示すフローチャートである。
【図３】実施の形態２にかかる光ディスク判定装置におけるディスクタイプ判定動作を示す模式図である。
【図４】実施の形態２にかかる光ディスク判定装置におけるディスクタイプ判定手順を示すフローチャートである。
【符号の説明】
【００６１】
ＦＳＭＡＸ  検出された反射光量
ＤＪＧ  閾値
ＨＭＡＸ  許容幅上限値（高反射率タイプの光ディスク）
ＨＭＩＮ  許容幅下限値（高反射率タイプの光ディスク）
ＬＭＡＸ  許容幅上限値（低反射率タイプの光ディスク）
ＬＭＩＮ  許容幅下限値（低反射率タイプの光ディスク）
【図１】
2007004923.tif 000003
【図２】
2007004923.tif 000004
【図３】
2007004923.tif 000005
【図４】
2007004923.tif 000006